(57)【特許請求の範囲】
【請求項１】
上ハーフ及び下ハーフを組み合わせて構成され、テープ体が巻回される一対のテープリールを収納するカセット本体と、
上記カセット本体内に配設された支軸に固定されて支持され、少なくとも一部がテープ体と接触するクリーニングローラと、
上記クリーニングローラが上記カセット本体内に取り付けられた位置に対応して上記カセット本体に形成された開口部と、
上記開口部に嵌合し、上記クリーニングローラのテープ体と接触した部分と支軸とが外方へ露出するように形成された注入孔を有する蓋体と
を備え、上記蓋体に形成された注入孔からは、クリーニング液が注入されてクリーニングローラを浸潤させ、クリーニングローラからテープ体に対してクリーニング液を付着させること
を特徴とするクリーニングカセット。
【請求項２】
上記蓋体には、上記開口部に対する位置決め用の凸部及び／又は凹部が形成され、上記開口部には、上記蓋体に形成された凸部及び／又は凹部に嵌合する凹部及び／又は凸部が形成されたことを特徴とする請求項１記載のクリーニングカセット。
【請求項３】
上記蓋体は、上記開口部と嵌合する部分に嵌入凸部を有することを特徴とする請求項１記載のクリーニングカセット。
【請求項４】
上記蓋体は、その上面がテーパ面又はすり鉢状とされてなることを特徴とする請求項１記載のクリーニングカセット。
【請求項５】
上記蓋体は、上記カセット本体内部に臨む側に支軸の上端部を保持する保持部が形成されたことを特徴とする請求項１記載のクリーニングカセット。
【発明の詳細な説明】
【０００１】
【発明の属する技術分野】
本発明は、クリーニングローラに浸潤させたクリーニング液をテープ体に付着させ、このクリーニング液が付着されたテープ体を走行させることによりクリーニングを行うクリーニングカセットに関する。
【０００２】
【従来の技術】
クリーニングカセットには、クリーニング液を使用する湿式のものとクリーニング液を使用しない乾式のものとがある。このなかでも、ビデオテープレコーダ等に用いられる湿式のクリーニングカセットとしては、図１７に示すようなクリーニング液を浸潤させたクリーニングローラ１００を用いたものが挙げられる。
【０００３】
このクリーニングカセットは、図示しないが、上下ハーフが組み合わされてなるカセット本体と、このカセット本体内に収納されてテープ体Ｔが巻回されるとともに掛け合わされた一対のリールと、これら一対のリールに掛け合わされたテープ体Ｔをガイドするガイドローラと、テープ体Ｔに所定の圧力で接するクリーニングローラ１００とを備える。
【０００４】
クリーニングローラ１００は、下ハーフ１０１に立設された支軸１０２と、この支軸１０２に回転自在に軸装されたローラ部１０３とから構成されている。このクリーニングローラ１００において、ローラ部１０３は、例えば、フェルト等の材質からなり、中空の円筒状に形成されている。そして、ローラ部１０３は、その中空部分が支軸１０２の径寸法よりもやや大径とされるため、支軸１０２を中心として回転自在とされる。
【０００５】
このように構成されたクリーニングカセットは、記録再生装置に装填され、記録再生装置を通常の記録再生動作させることによって、記録再生装置の磁気ヘッド等をクリーニングする。このとき、クリーニングカセットでは、クリーニングローラ１００にクリーニング液を浸潤させておく。
【０００６】
記録再生装置は、クリーニングカセットが装填されると、このクリーニングカセットからテープ体Ｔを引き出してローディングする。すなわち、テープ体Ｔは、クリーニングカセットが装填されると、記録再生装置の磁気ヘッドを有する回転ドラム等へ掛け合わされる。そして、記録再生装置は、テープ体Ｔをローディングした状態で記録再生動作することによりテープ体Ｔを走行させる。
【０００７】
このとき、クリーニングカセットでは、図１７中矢印Ａで示す方向にテープ体Ｔが走行し、これに伴ってローラ部１０３が図１７中矢印Ｂで示す方向に回転する。テープ体Ｔが矢印Ａの方向に走行すると、テープ体Ｔには、ローラ部１０３に浸潤されたクリーニング液が付着される。このように、クリーニングカセットでは、クリーニング液が付着されたテープ体Ｔの一主面を磁気ヘッド等に走行させる。これによって、クリーニング液が付着されたテープ体は、磁気ヘッド等に付着した塵等の汚れを除去することができる。
【０００８】
【発明が解決しようとする課題】
ところで、上述したようなクリーニングカセットにおいて、クリーニングローラ１００は、ローラ部１０３がテープ体Ｔの走行に伴って矢印Ｂで示した方向に回転していた。このため、このクリーニングカセットでは、ローラ部１０３全体にクリーニング液を浸潤させる必要があった。このため、テープ体Ｔには、ローラ部１０３に浸潤されたクリーニング液の量に応じて多量のクリーニング液が付着されることとなる。
【０００９】
この場合、クリーニング液が付着されたテープ体Ｔが走行すると、クリーニング対象である磁気ヘッド等に多量のクリーニング液が付着することとなる。このようにクリーニング液の付着量が多量であると、テープ体Ｔは、クリーニング対象に張り付いてしまうこととなる。これにより、従来のクリーニングカセットでは、テープ体Ｔを良好に走行させることが困難であるといった問題点があった。
【００１０】
そこで、本発明は、テープ体に付着されるクリーニング液の量が適量とされ、良好にテープ体を走行させることが可能となったクリーニングカセットを提供することを目的とする。
【００１１】
【課題を解決するための手段】
上述した目的を達成した本発明に係るクリーニングカセットは、上ハーフ及び下ハーフを組み合わせて構成され、テープ体が巻回される一対のテープリールを収納するカセット本体と、上記カセット本体内に配設された支軸に固定されて支持され、少なくとも一部がテープ体と接触するクリーニングローラと、上記クリーニングローラが上記カセット本体内に取り付けられた位置に対応して上記カセット本体に形成された開口部と、上記開口部に嵌合し、上記クリーニングローラのテープ体と接触した部分と支軸とが外方へ露出するように形成された注入孔を有する蓋体とを備える。そして、このクリーニングカセットは、上記蓋体に形成された注入孔からクリーニング液が注入されてクリーニングローラを浸潤させ、クリーニングローラからテープ体に対してクリーニング液を付着させるものである。
【００１２】
以上のように構成された本発明に係るクリーニングカセットは、クリーニングローラがカセット本体に対して回転しないものである。このクリーニングカセットでは、テープ体と接触した部分が外方へ臨むように注入孔が形成された蓋体を有している。このため、このクリーニングカセットにおいて、クリーニング液は、クリーニングローラの中で、テープ体が接触した部分にのみ浸潤することができる。
【００１３】
そして、このクリーニングカセットでは、テープ体が当接した部分に浸潤したクリーニング液がテープ体に付着される。このとき、クリーニングローラは、回転することなくテープ体に当接しているため、テープ体に対して適量のクリーニング液を付着することができる。したがって、このクリーニングカセットは、多量のクリーニング液をクリーニング対象へ付着させることなくクリーニングすることができる。
【００１４】
【発明の実施の形態】
以下、本発明に係るクリーニングカセットの実施の形態を図面を参照して詳細詳細に説明する。
【００１５】
この実施の形態に示すクリーニングカセットは、図１に示すように、概略、一対の上ハーフ１及び下ハーフ２を有するカセット本体３と、テープ体４が巻回されてカセット本体３内に収納された一対のテープリール５Ａ，５Ｂと、カセット本体３の前面に設けられたリッド６とを備えている。
【００１６】
このクリーニングカセットにおいて、上ハーフ１は、図１、図２、図３及び図４に示すように、テープリール５Ｂに巻回されているテープ体４の量を目視可能とするためのウインド１０を備えている。また、上ハーフ１には、一対のテープリール５Ａ，５Ｂを収納するテープリール収納部１１を構成する上周壁１２が形成されている。さらに、この上ハーフ１には、詳細を後述するクリーニングローラに対応した位置に開口部１３が穿設されている。この開口部１３は、後述する蓋体が嵌合して取り付けられるものであり、断部１３Ａを有するように構成されている。
【００１７】
また、このクリーニングカセットにおいて、下ハーフ２は、図１に示すように、上述した上ハーフ１の上周壁１２に対応して形成された下周壁１４と、テープリール５Ａ，５Ｂの略中心部を外方へ露出させるように穿設されたリール駆動軸穴１５Ａ，１５Ｂとを備える。したがって、上述したテープリール収納部１１は、上ハーフ１の上周壁１１と下ハーフの下周壁１４とから構成され、下方にリール駆動軸穴１５Ａ，１５Ｂを有することとなる。
【００１８】
さらに、このクリーニングカセットにおいて、リッド６は、カセット本体３の前面を覆うに足る長さを及び高さを有して構成されている。このリッド６は、カセット本体３の前面を閉塞させる第１の位置と開口させる第２の位置とを回動自在となるように、カセット本体３に取り付けられている。このリッド６は、リッドロックスプリング１６により第１の位置に付勢されている。また、このリッド６は、容易に第２の位置に回動動作しないようにリッドロック部材１７によって、第１の位置に固定されている。したがって、カセット本体３の前面を開口させる際には、このリッドロック部材１７による固定を外し、リッドロックスプリング１６の付勢力に抗してリッド６を回動させる。
【００１９】
さらにまた、このクリーニングカセットにおいて、一対のテープリール５Ａ，５Ｂは、テープ体４が巻回されるリールハブ１８と、このリールハブ１８の下端と一体に形成された下フランジ部１９と、リールハブ１８の上端に組み合わされた上フランジ部２０とからそれぞれ構成されている。
【００２０】
この一対のテープリール５Ａ，５Ｂには、リールハブ１８の側面にクランパ２１が設けられている。そして、この一対のテープリール５Ａ，５Ｂでは、このクランパ２１にテープ体４の端部が挟み込まれる。そして、テープ体４は、下フランジ部１９と上フランジ部２０とで挟まれた部分に巻回され、これら下フランジ部１９及び上フランジ部２０により上下方向のズレが規制されている。
【００２１】
このようにテープ体４が巻回された一対のテープリール５Ａ，５Ｂは、上ハーフ１及び下ハーフ２が組み合わされテープリール収納部１１に収納される。このとき、一対のテープリール５Ａ，５Ｂは、テープリール押え部材２２により上フランジ部２０の略中心を下方に付勢されている。これにより、一対のテープリール５Ａ，５Ｂは、上下方向の揺動を規制されてテープリール収納部１１に収納されることとなる。
【００２２】
このクリーニングカセットでは、上述のように収納された一対のテープリール５Ａ，５Ｂ間に巻回されたテープ体４を掛け渡している。このテープ体４は、テープリール５Ｂからテープリール５Ａに向かって順に配設されたクリーニングローラ２３、第１のテープガイド２４、第２のテープガイド２５及びガイドローラ２６に掛け渡されている。これにより、テープ体４は、リッド６に閉塞された部分に所定のテンションをもって延在する。
【００２３】
このクリーニングローラ２３は、例えば、フェルト等の吸液性を有する材料からなり、中空の円筒状に形成されている。また、このクリーニングローラ２３は、その高さ寸法がテープ体４の幅寸法よりも大とされてなる。
【００２４】
そしてクリーニングローラ２３は、下ハーフ２に立設された支軸２７に取り付けられる。このとき、支軸２７は、下ハーフ２に対して回転することがないように固定される。また、クリーニングローラ２３は、その内径が支軸２７の径寸法よりも小径とされてなるため、圧入するように支軸２７に取り付けられる。これにより、このクリーニングローラ２３は、回転することなくテープ体４に当接することとなる。
【００２５】
また、第１のテープガイド２４及び第２のテープガイド２５は、下ハーフ２の前面のコーナー部に立設された支持棒２８にそれぞれ取り付けられている。これら第１のテープガイド２４及び第２のテープガイド２５は、ゴム等の合成樹脂からなり、回転しないように支持棒２８に固定されて取り付けられている。
【００２６】
さらに、ガイドローラ２６は、合成樹脂等からなり、下ハーフ２に立設された支軸２９に取り付けられている。このとき、支軸２９は、下ハーフ２に対して回転することがないように固定される。また、ガイドローラ２６は、その内径が支軸２９の径寸法よりも大径とされてなるため、支軸２９に取り付けられて回転自在となる。
【００２７】
一方、このクリーニングカセットには、このクリーニングローラ２３にクリーニング液を供給するため、上ハーフ１に穿設された開口部１３に蓋体３０が取り付けられている。この蓋体３０は、耐薬品性を有するような材料から形成されることが好ましく、例えば、材料としては、ポリアセタール等の合成樹脂を挙げることができる。
【００２８】
この蓋体３０は、図５及び図６に示すように、開口部１３の径と略同寸法の外形を有する円筒状に形成され、上端部に形成されたフランジ部３１を備え、このフランジ部３１が形成された上端部に注入孔３２が形成されている。この注入孔３２は、略半円状に形成されており、蓋体３０上面の一端部に形成されている。
【００２９】
このように構成された蓋体３０は、上ハーフ１に穿設された開口部１３に嵌合して取り付けられる。このとき、蓋体３０のフランジ部３１は、開口部１３に形成された段部１３Ａに係止される。そして、蓋体３０は、開口部１３に嵌合するとともにフランジ部３１が係止されることにより上ハーフ１に取り付けられることとなる。
【００３０】
このように蓋体３０が上ハーフ１に取り付けられると、蓋体３０の鉛直下方向にはクリーニングローラ２３が位置することとなる。また、このクリーニングカセットでは、蓋体３０に形成された注入孔３２からクリーニングローラ２３のテープ体４が接触した部分と支軸２７とが臨んでいる。言い換えると、蓋体３０は、注入孔３２からクリーニングローラ２３のテープ体４が接触した部分と支軸２７とが臨むように開口部１３に嵌合して取り付けられている。
【００３１】
一方、このクリーニングカセットは、上述したようなクリーニングローラ２３等に掛け合わされ、一対のテープリール５Ａ，５Ｂに巻回されたテープ体４が弛まないようにするため、一対の弛み防止部材３３を備えている。これら弛み防止部材３３は、クリーニングローラ２３及びガイドローラ２６近傍に取り付けられ、テープ体４をクリーニングローラ２３及びガイドローラ２６方向に付勢するように作用する。
【００３２】
また、このクリーニングカセットは、一対のテープリール５Ａ，５Ｂの不測の回転を防止するため、一対のリールロック３４及び一対のリールロックスプリング３５を備えている。これら一対のリールロック３４及び一対のリールロックスプリング３５は、一対のテープリール５Ａ，５Ｂの近傍に配設される。そして、一対のリールロック３４は、一対のリールロックスプリング３５により一対のテープリール５Ａ，５Ｂを押さえる方向に付勢され、一対のテープリール５Ａ，５Ｂの不測の回転を防止している。
【００３３】
さらに、このクリーニングカセットは、上ハーフ１及び下ハーフ２を組み付けるための４本のビス３６を備えている。これらビス３６は、上ハーフ１と下ハーフ２とを組み合わせた状態で下ハーフ２の下方から取り付けられる。これにより、カセット本体３が組み立てられることとなる。
【００３４】
以上のように構成されたクリーニングカセットにおいて、クリーニングローラ２３は、図７及び図８に示すように、クリーニング液が浸潤され、テープ体４にこのクリーニング液を付着する。このクリーニングカセットでは、図７に示すように、クリーニング液用容器３７に充填されたクリーニング液が注入孔３２から注入される。
【００３５】
このクリーニングカセットでは、注入孔３２からは、クリーニングローラ２３のテープ体４が接触した部分と支軸２７とが臨んでいる。このため、このクリーニングカセットにおいて、クリーニング液の一部は、支軸２７の側面を伝ってクリーニングローラ２３に達し、クリーニングローラ２３を浸潤させる。また、クリーニング液の一部は、注入孔３２から注入されると、直接、クリーニングローラ２３に達し、クリーニングローラ２３を浸潤させる。
【００３６】
このクリーニングカセットは、上述したようにクリーニングローラ２３にクリーニング液を浸潤させた状態で図示しない記録再生装置に装填される。クリーニングカセットが記録再生装置に装填されると、リッド６がカセット本体３の前面を開口する方向、すなわち、第２の位置の方向に回動し、図８に示すように、リッド６により閉塞されていた空間に延在するテープ体４がローディングされる。すなわち、テープ体４は、テープリール５Ｂから引き出され、先ず、クリーニングローラ２３に掛け合わされ、次に、テープガイド２４に掛け合わされ、そして、クリーニング対象である記録再生装置の磁気ヘッド等に掛け合わされる。
【００３７】
そして、記録再生装置を通常の記録再生動作させることによって、上述のように掛け渡されたテープ体は４走行することになり、その一主面にクリーニングローラ２３からクリーニング液が付着される。このとき、クリーニングローラ２３は、テープ体４の走行とともに回転することはない。このため、テープ体４は、このクリーニングローラ２３の一部分を摺動するように走行する。
【００３８】
そして、クリーニング液が付着されたテープ体４は、クリーニング対象である磁気ヘッドに達し、磁気ヘッドにクリーニング液を付着させる。このように、テープ体４は、付着されたクリーニング液を磁気ヘッド等のクリーニング対象に付着させて塵等を除去している。
【００３９】
このように、本実施の形態に示すクリーニングカセットでは、テープ体４にクリーニング液を付着するに際して、テープ体４に伴って回転することのないクリーニングローラ２３が用いられている。このため、テープ体４には、クリーニングローラ２３から適量のクリーニング液が付着されることとなる。すなわち、このクリーニングカセットでは、固定されたクリーニングローラ２３にテープ体４が摺動することによって、テープ体４の一主面にクリーニング液が薄く引き伸ばされるように付着される。
【００４０】
このクリーニングカセットは、テープ体４に付着されたクリーニング液が良好な状態であるために、磁気ヘッド等に対して多量のクリーニング液を付着させることはない。したがって、このクリーニングカセットでは、磁気ヘッド等に多量のクリーニング液が付着することによって、テープ体４が磁気ヘッド等に張り付くようなことがない。つまり、このクリーニングカセットは、テープ体４の走行性が顕著に向上したものとなる。
【００４１】
また、このクリーニングカセットでは、クリーニング液が注入される注入孔３２から、クリーニングローラ２３のテープ体４が接触した部分と支軸２７とが臨むように構成されている。このため、このクリーニングカセットでは、クリーニング液が、主として、クリーニングローラ２３のテープ体４が接触した部分に浸潤する。
【００４２】
このため、クリーニング液は、クリーニングローラ２３が膨潤する程度に多量に浸潤することがなく、また、均一に浸潤する。したがって、このクリーニングローラ２３のテープ体４が接触した部分は、常に適量のクリーニング液を含有することとなる。これにより、このクリーニングカセットは、テープ体４の一主面に適量のクリーニング液を付着することができ、クリーニング効果が向上したものとなる。
【００４３】
このことは、クリーニング液の消費量が小量で済むということにもなる。したがって、このクリーニングカセットは、クリーニング効果が優れたものであると同時に、コスト的に優れたものとなる。
【００４４】
ところで、本発明に係るクリーニングカセットは、上述したような実施の形態に示したクリーニングカセットの構成に限定されるものではない。本発明の他の実施の形態としては、図９、図１０、図１１及び図１２に示すような蓋体５０を備えるようなクリーニングカセットであってもよい。
【００４５】
以下、他の実施の形態に示すクリーニングカセットの説明において、上述したクリーニングカセットと同一の部材に関しては、構成及び動作の詳細な説明を省略する。
【００４６】
この実施の形態に示すクリーニングカセットは、図９乃至図１２に示すような蓋体５０を有するものである。蓋体５０は、耐薬品性を有する合成樹脂材料等、例えば、ポリアセタールからなり、概略、円筒状に形成される。この蓋体５０は、略円筒状に形成された筒状部５１と、この筒状部５１よりも小径とされて筒状部５１の内側に設けられた保持部５２と、筒状部５１の上端部に形成されたフランジ部５３と、この筒状部５１の上端部側の上面に形成された注入孔５４と、この注入孔５４が形成された上面に形成されて注入孔５４に向かって下に傾斜したテーパ面５５とから構成される。
【００４７】
この蓋体５０において、筒状部５１は、その外周面に環状に形成された嵌入凸部５６を有する。この嵌入凸部５６は、後述する上ハーフに形成された開口部に蓋体５０を嵌合して取り付けた際の抜け防止として作用する。また、筒状部５１は、高さ方向に切り欠かれてなる切欠き部５７を有する。この切欠き部５７は、筒状部５１の対向する位置に一対設けられている。さらに、筒状部５１は、その外周面に形成された位置決め用の凸部５８を有する。
【００４８】
この蓋体５０において、保持部５２は、注入孔５４から臨む部分が切り欠かれ、支軸２７の径寸法よりやや大径とされた略円筒状に形成される。また、この保持部５２は、蓋体５０が後述する上ハーフに取り付けられた際、支軸２７を保持するに足りる高さ寸法を有する。また、テーパ面５５は、注入孔５４に向かって下に傾斜されたテーパとして蓋体５０の上面に形成される。
【００４９】
このように構成された蓋体５０は、図１３に示すような上ハーフ６０に取り付けられる。このクリーニングカセットにおいて、上ハーフ６０は、テープリール５Ｂに巻回されているテープ体の量を目視するためのウインド１０を備えている。また、この上ハーフ６０には、クリーニングローラ２３に対応した位置に開口部６１が穿設されている。この開口部６１は、上述した蓋体５０が嵌合して取り付けられるものであり、断部６１Ａと位置決め用の凹部６２とを有するように構成されている。
【００５０】
この上ハーフ６０において、開口部６１は、段部６１Ａにより形成される上面側の径寸法が、蓋体５０におけるフランジ部の径寸法と略同寸法であり、下面側の径寸法が蓋体５０における筒状部５１の径寸法と略同寸法であるように穿設されている。また、この開口部６１に形成された凹部６２は、蓋体５０の凸部５８と嵌合するものであり、凸部５８の外形形状に対応した形状として形成される。この凹部６２は、蓋体５０が上ハーフ６０に取り付けられた際、注入孔５４からクリーニングローラ２３のテープ体４が接触した部分と支軸２７とが臨むような位置に形成されている。すなわち、この凹部６２と凸部５８とが嵌合すると、注入孔５４からは、クリーニングローラ２３のテープ体４が接触した部分と支軸２７とが臨むこととなる。
【００５１】
以上のように構成されたクリーニングカセットは、図１４に示すように、上ハーフ６０に蓋体５０が取り付けられ、クリーニングローラ２３にクリーニング液が浸潤する。
【００５２】
このクリーニングカセットでは、注入孔５４からは、クリーニングローラ２３のテープ体４が接触した部分と支軸２７とが臨んでいる。このため、このクリーニングカセットにおいて、クリーニング液の一部は、支軸２７の側面を伝ってクリーニングローラ２３に達し、クリーニングローラ２３を浸潤させる。また、クリーニング液の一部は、注入孔３２から注入されると、直接、クリーニングローラ２３に達し、クリーニングローラ２３を浸潤させる。
【００５３】
このとき、このクリーニングカセットでは、凸部５８と凹部６２とを嵌合させることによって、蓋体５０を取り付けている。このため、このクリーニングカセットでは、注入孔５４からクリーニングローラ２３のテープ体４が接触した部分と支軸２７とを臨ませるための位置決めが容易となる。
【００５４】
このクリーニングカセットは、上述したようにクリーニングローラ２３にクリーニング液を浸潤させた状態で図示しない記録再生装置に装填される。クリーニングカセットが記録再生装置に装填されると、リッド６がカセット本体３の前面を開口する方向に回動し、図１５に示すように、リッド６により閉塞されていた空間に延在するテープ体４がローディングされる。すなわち、テープ体４は、テープリール５Ｂから引き出され、先ず、クリーニングローラ２３に掛け合わされ、次に、テープガイド２４に掛け合わされ、そして、クリーニング対象である記録再生装置の磁気ヘッド等に掛け合わされる。
【００５５】
そして、記録再生装置を通常の記録再生動作させることによって、上述のように掛け渡されたテープ体は走行することになり、その一主面にクリーニングローラ２３からクリーニング液が付着される。このとき、クリーニングローラ２３は、テープ体４の走行とともに回転することはない。このため、テープ体４は、このクリーニングローラ２３の一部分を摺動するように走行する。
【００５６】
そして、クリーニング液が付着されたテープ体４は、クリーニング対象である磁気ヘッドに達し、磁気ヘッドにクリーニング液を付着させる。このように、テープ体４は、付着されたクリーニング液を磁気ヘッド等のクリーニング対象に付着させて塵等を除去している。
【００５７】
このように、クリーニングカセットでは、テープ体４にクリーニング液を付着するに際して、テープ体４に伴って回転することのないクリーニングローラ２３が用いられている。このため、テープ体４には、クリーニングローラ２３から適量のクリーニング液が付着されることとなる。すなわち、このクリーニングカセットでは、固定されたクリーニングローラ２３にテープ体４が摺動することによって、テープ体４の一主面にクリーニング液が薄く引き伸ばされるように付着される。
【００５８】
このクリーニングカセットは、テープ体４に付着されたクリーニング液が良好な状態であるために、磁気ヘッド等に対して多量のクリーニング液を付着させることはない。したがって、このクリーニングカセットでは、磁気ヘッド等に多量のクリーニング液が付着することによって、テープ体４が磁気ヘッド等に張り付くようなことがない。つまり、このクリーニングカセットは、テープ体４の走行性が顕著に向上したものとなる。
【００５９】
また、このクリーニングカセットでは、クリーニング液が注入される注入孔５４から、クリーニングローラ２３のテープ体４が接触した部分と支軸２７とが臨むように構成されている。このため、この  クリーニングカセットでは、クリーニング液が、主として、クリーニングローラ２３のテープ体４が接触した部分に浸潤する。
【００６０】
このため、クリーニング液は、クリーニングローラ２３が膨潤する程度に多量に浸潤することがなく、また、均一に浸潤する。したがって、このクリーニングローラ２３のテープ体４が接触した部分は、常に適量のクリーニング液を含有することとなる。これにより、このクリーニングカセットは、テープ体４の一主面に適量のクリーニング液を付着することができ、クリーニング効果が向上したものとなる。
【００６１】
このことは、クリーニング液の消費量が小量で済むということにもなる。したがって、このクリーニングカセットは、クリーニング効果が優れたものであると同時に、コスト的に優れたものとなる。
【００６２】
一方、このクリーニングカセットには、蓋体５０に保持部５２が形成されている。そして、支軸２７は、上ハーフ６０に蓋体５０が取り付けられると、その上端部がこの保持部５２に保持される。この支軸２７は、下端部が下ハーフ２に固定されて取り付けられている。そして、この支軸２７には、不測の衝撃等により抜ける方向の力や揺れ方向の力が作用することがある。
【００６３】
しかしながら、支軸２７は、その上端部が保持部５２に保持されているため、これらの力に対して抜けや揺れが規制される。すなわち、このクリーニングカセットでは、カセット本体３内でクリーニングローラ２３が抜け落ちたりすることが確実に防止される。
【００６４】
さらに、このクリーニングカセットには、蓋体５０に嵌入凸部５６が形成されている。この嵌入凸部５６は、蓋体５０が上ハーフ６０に取り付けられた状態で上ハーフ６０の内面に接する程度の高さに位置する。この嵌入凸部５６は、不測の衝撃等により蓋体５０が上ハーフ６０から抜け出ないように、蓋体５０を係止している。このため、このクリーニングカセットでは、蓋体５０の取り付けが確実なものとなり、その結果、支軸２７の取り付けもより確実なものとなる。
【００６５】
さらにまた、このクリーニングカセットでは、蓋体５０の筒状部５１に切欠き部５７が形成されている。この切欠き部５７は、筒状部５１を、その中心方向に向かって弾性変形可能としている。すなわち、筒状部５１は、横方向のからの力が加わったとき、切欠き部５７により撓むことができる。
【００６６】
このクリーニングカセットにおいて、この蓋体５０は、開口部６０に取り付けられる際、嵌入凸部５６が形成されているために無理入れが行われる。この無理入れが行われると、筒状部５１に形成された嵌入凸部５６には、開口部６１の段部６１Ａに当接することによって、大きな力が加わることとなる。しかしながら、このクリーニングカセットでは、切欠き部５７を形成したために、筒状部５１が撓むことができる。このため、嵌入凸部５６に加わる力は、筒状部５１に横方向から加わる力に変換される。このため、このクリーニングカセットでは、蓋体５０を無理入れする際、筒状部５１が撓むことによって、嵌入凸部５６を破損したり白化するようなことがない。
【００６７】
ところで、この実施の形態に示すクリーニングカセットにおいて、嵌入凸部５６は、図１６中矢印Ｈで示す範囲、すなわち、筒状部５１の外周面における１５０度の範囲に一対設けられることが好ましい。このように嵌合凸部５６が形成されたクリーニングカセットでは、比較的小さな力で蓋体５０を無理入れすることにより開口部６１に取り付けることができる。また、このとき、蓋体５０の嵌入凸部５６には、無理入れによる破損や白化が発生するようなことがない。
【００６８】
さらにまた、このクリーニングカセットでは、注入孔５４に向かって下に傾斜されたテーパとして蓋体５０の上面に形成されたテーパ面５５を有する。このため、このクリーニングカセットでは、クリーニング液は、蓋体５０の上面に垂らされることによりテーパ面５５を伝って注入孔５４へと導かれる。したがって、このクリーニングカセットでは、注入孔５４にクリーニング液を容易に注入することができ、作業性の向上を達成することができる。
【００６９】
【発明の効果】
以上、詳細に説明したように本発明に係るクリーニングカセットでは、回転しないクリーニングローラによりクリーニング液がテープ体に付着される。そして、このクリーニングカセットでは、クリーニング液が注入される注入孔から、クリーニングローラのテープ体が接触した部分と支軸とが臨むように構成されている。このため、このクリーニングカセットでは、クリーニングローラのテープ体が接触した部分に適量のクリーニング液を浸潤させることができる。したがって、テープ体には、良好な状態でクリーニング液が付着される。これにより、このクリーニングカセットは、クリーニング対象にテープ体が張り付くようなことがなく、テープ体を良好に走行させることができる。
【図面の簡単な説明】
【図１】本発明に係るクリーニングカセットの一構成例を示す分解斜視図である。
【図２】同クリーニングカセットにおける上ハーフの底面図である。
【図３】同クリーニングカセットにおける上ハーフの縦断面図である。
【図４】同クリーニングカセットにおける上ハーフの平面図である。
【図５】蓋体の縦断面図である。
【図６】同蓋体の平面図である。
【図７】本発明に係るクリーニングカセットにおけるクリーニングローラ周辺の要部縦断面図である。
【図８】同クリーニングカセットがローディングされた状態を示す要部平面図である。
【図９】本発明に係る他の実施の形態として示すクリーニングカセットに用いられる蓋体の平面図である。
【図１０】同クリーニングカセットに用いられる蓋体の部分縦断面図である。
【図１１】同クリーニングカセットに用いられる蓋体の底面図である。
【図１２】同クリーニングカセットに用いられる蓋体の図１１中Ａ−Ａ線における縦断面図である。
【図１３】同クリーニングカセットに用いられる上ハーフの平面図である。
【図１４】同クリーニングカセットにおけるクリーニングローラ周辺の要部縦断面図である。
【図１５】同クリーニングカセットがローディングされた状態を示す要部平面図である。
【図１６】蓋体に形成される嵌入凸部の好適な範囲を説明するための蓋体の底面図である。
【図１７】従来のクリーニングカセットの要部斜視図である。
【符号の説明】
１  上ハーフ、２  下ハーフ、３  カセット本体、４  テープ体、５  テープリール、６  リッド、２３  クリーニングローラ、２７  支軸、３０，５０  蓋体、３１，５１  フランジ部、３２，５２  注入孔
【図１】
0003591207.tif 000002
【図２】
0003591207.tif 000003
【図３】
0003591207.tif 000004
【図４】
0003591207.tif 000005
【図５】
0003591207.tif 000006
【図６】
0003591207.tif 000007
【図７】
0003591207.tif 000008
【図８】
0003591207.tif 000009
【図９】
0003591207.tif 000010
【図１０】
0003591207.tif 000011
【図１１】
0003591207.tif 000012
【図１２】
0003591207.tif 000013
【図１３】
0003591207.tif 000014
【図１４】
0003591207.tif 000015
【図１５】
0003591207.tif 000016
【図１６】
0003591207.tif 000017
【図１７】
0003591207.tif 000018